(57)【要約】【課題】デュアルモード通信機たる無線通信端末装置において、２つの通信システムが同時に安定した通信を行うことを可能にする。【解決手段】発振器１００を制御してクロック信号Ｓ１０ａの周波数を変更することにより、第１無線周波送信信号Ｓ９を第１無線通信方式の無線基地局と同調させつつ、第２ベースバンド変調部１１９における位相変調処理を制御して第２無線周波送信信号Ｓ１８の周波数を変更することにより、第２無線周波送信信号Ｓ１８をも第２無線通信方式の無線基地局と同調させる。【選択図】図１
2007306358.tif 000002
【特許請求の範囲】
【請求項１】
所定周波数のクロック信号を出力する発振器と、
前記クロック信号に基づいて第１無線通信方式の第１無線周波受信信号を受信し、前記第１無線周波受信信号を第１ベースバンド受信信号に周波数変換する第１無線受信部と、
前記第１ベースバンド受信信号を復調する第１ベースバンド復調部と、
前記第１無線通信方式の第１ベースバンド送信信号を変調する第１ベースバンド変調部と、
変調された前記第１ベースバンド送信信号を第１無線周波送信信号に周波数変換し、前記クロック信号に基づいて前記第１無線周波送信信号を送信する第１無線送信部と、
復調された前記第１ベースバンド受信信号に基づいて、前記第１無線通信方式の無線基地局の送信周波数に対する前記第１無線周波送信信号の搬送波周波数の偏差を検出する第１周波数偏差検出部と、
前記第１無線周波送信信号の搬送波周波数の前記偏差に基づいて、第１制御信号を生成する第１ＡＦＣ（Automatic Frequency Control）部と、
前記クロック信号に基づいて、前記第１無線通信方式とは異なる第２無線通信方式の第２無線周波受信信号を受信し、前記第２無線周波受信信号を第２ベースバンド受信信号に周波数変換する第２無線受信部と、
前記第２ベースバンド受信信号を復調する第２ベースバンド復調部と、
前記第２無線通信方式の第２ベースバンド送信信号を変調する第２ベースバンド変調部と、
変調された前記第２ベースバンド送信信号を第２無線周波送信信号に周波数変換し、前記クロック信号に基づいて前記第２無線周波送信信号を送信する第２無線送信部と、
復調された前記第２ベースバンド受信信号に基づいて、前記第２無線通信方式の無線基地局の送信周波数に対する前記第２無線周波送信信号の搬送波周波数の偏差を検出する第２周波数偏差検出部と、
前記第２無線周波送信信号の搬送波周波数の前記偏差に基づいて、第２制御信号を生成する第２ＡＦＣ部と
を備え、
前記第２ベースバンド変調部は、前記第２ベースバンド送信信号に対して位相変調処理を行うことが可能であって、
前記第１制御信号は、前記第１無線周波送信信号の搬送波周波数の前記偏差を減少させるために、前記発振器への、前記所定周波数を制御する第１周波数制御信号として機能し、
前記第２制御信号は、前記第２無線周波送信信号の搬送波周波数の前記偏差を減少させるために、前記第２ベースバンド変調部において前記位相変調処理を制御する第１位相制御信号として機能する
無線通信端末装置。
【請求項２】
請求項１に記載の無線通信端末装置であって、
前記第１制御信号を受け、前記第１制御信号の変化量を所定の関数にて演算し、演算結果を出力する周波数変化量算出部と、
検出された前記第２無線周波送信信号の搬送波周波数の前記偏差に対して前記演算結果を加算する加算部と
をさらに備え、
前記第２ＡＦＣ部は、前記演算結果が加算された前記第２無線周波送信信号の搬送波周波数の前記偏差に基づいて、前記第２制御信号を生成する
無線通信端末装置。
【請求項３】
請求項１に記載の無線通信端末装置であって、
前記第２無線周波送信信号の搬送波周波数の前記偏差に基づいて、第３制御信号を生成する第３ＡＦＣ部と、
前記第１及び第３制御信号を受け、第１選択信号に応じて前記第１及び第３制御信号のいずれかを選択して、前記発振器へと出力可能な第１セレクタと、
前記第２無線周波送信信号の搬送波周波数の前記偏差の情報を、第２選択信号に応じて前記第２および第３ＡＦＣ部のいずれかに出力可能な第２セレクタと
をさらに備え、
前記第３制御信号は、前記第２無線周波送信信号の搬送波周波数の前記偏差を減少させるために、前記発振器への、前記所定周波数を制御する第２周波数制御信号として機能する
無線通信端末装置。
【請求項４】
請求項３に記載の無線通信端末装置であって、
前記第１無線周波送信信号の搬送波周波数の前記偏差に基づいて、第４制御信号を生成する第４ＡＦＣ部と、
前記第１無線周波送信信号の搬送波周波数の前記偏差の情報を、第３選択信号に応じて前記第１および第４ＡＦＣ部のいずれかに出力可能な第３セレクタと
をさらに備え、
前記第１ベースバンド変調部は、前記第１ベースバンド送信信号に対して位相変調処理を行うことが可能であって、
前記第４制御信号は、前記第１無線周波送信信号の搬送波周波数の前記偏差を減少させるために、前記第１ベースバンド変調部において前記位相変調処理を制御する第２位相制御信号として機能する
無線通信端末装置。
【発明の詳細な説明】
【技術分野】
【０００１】
この発明は、無線通信端末装置に関し、特に、無線基地局との通信を行う際の無線通信端末装置における無線周波数制御に関する。
【背景技術】
【０００２】
従来の無線通信端末装置においては、一般的に無線周波数は以下のように制御されていた。すなわち、基地局から受信した信号に基づいて、通信が正しく行えるように、源振クロックを出力する温度補正型水晶発振器（ＴＣＸＯ：Temperature Compensated Crystal Oscillator）の周波数を逐次制御していた。
【０００３】
そのような技術を示す文献として、例えば下記特許文献１がある。この特許文献１においては、ＡＦＣ（Automatic Frequency Control）回路を用いて、ＴＣＸＯにおける発振周波数を補正する技術が開示されている。
【０００４】
【特許文献１】特開平９−３２６７５２号公報
【発明の開示】
【発明が解決しようとする課題】
【０００５】
ところで、例えば広帯域符号分割多重アクセス方式（ＷＣＤＭＡ：Wideband Code Division Multiple Access）と汎欧州デジタルセルラーシステム（ＧＳＭ：Global System for Mobile Communications）とのような、２つの異なる無線通信システムを共に搭載した無線通信端末装置（“デュアルモード通信機”とも称する）が存在する。
【０００６】
このようなデュアルモード通信機に、上記特許文献１に記載のＡＦＣ回路によるＴＣＸＯ周波数の補正技術を適用する場合、２つの異なるシステムの無線基地局からの受信信号のいずれかに基づいて、１つのＴＣＸＯの周波数を制御することとなる。すると、両方式の基地局に同時に、周波数を同調させることが難しくなる。その結果、安定した無線通信の確保が困難となる。
【０００７】
また、２つの異なるシステムの受信部が１つのＴＣＸＯを制御するためには、制御遅延や、制御権の競合などの問題が生じ、最適な動作が困難となる。
【０００８】
この発明は、上記の問題を解消するためになされたもので、デュアルモード通信機たる無線通信端末装置において、２つの通信システムが同時に安定した通信を行うことを可能にすることを目的とする。
【課題を解決するための手段】
【０００９】
本発明は、所定周波数のクロック信号を出力する発振器と、前記クロック信号に基づいて第１無線通信方式の第１無線周波受信信号を受信し、前記第１無線周波受信信号を第１ベースバンド受信信号に周波数変換する第１無線受信部と、前記第１ベースバンド受信信号を復調する第１ベースバンド復調部と、前記第１無線通信方式の第１ベースバンド送信信号を変調する第１ベースバンド変調部と、変調された前記第１ベースバンド送信信号を第１無線周波送信信号に周波数変換し、前記クロック信号に基づいて前記第１無線周波送信信号を送信する第１無線送信部と、復調された前記第１ベースバンド受信信号に基づいて、前記第１無線通信方式の無線基地局の送信周波数に対する前記第１無線周波送信信号の搬送波周波数の偏差を検出する第１周波数偏差検出部と、前記第１無線周波送信信号の搬送波周波数の前記偏差に基づいて、第１制御信号を生成する第１ＡＦＣ（Automatic Frequency Control）部と、前記クロック信号に基づいて、前記第１無線通信方式とは異なる第２無線通信方式の第２無線周波受信信号を受信し、前記第２無線周波受信信号を第２ベースバンド受信信号に周波数変換する第２無線受信部と、前記第２ベースバンド受信信号を復調する第２ベースバンド復調部と、前記第２無線通信方式の第２ベースバンド送信信号を変調する第２ベースバンド変調部と、変調された前記第２ベースバンド送信信号を第２無線周波送信信号に周波数変換し、前記クロック信号に基づいて前記第２無線周波送信信号を送信する第２無線送信部と、復調された前記第２ベースバンド受信信号に基づいて、前記第２無線通信方式の無線基地局の送信周波数に対する前記第２無線周波送信信号の搬送波周波数の偏差を検出する第２周波数偏差検出部と、前記第２無線周波送信信号の搬送波周波数の前記偏差に基づいて、第２制御信号を生成する第２ＡＦＣ部とを備え、前記第２ベースバンド変調部は、前記第２ベースバンド送信信号に対して位相変調処理を行うことが可能であって、前記第１制御信号は、前記第１無線周波送信信号の搬送波周波数の前記偏差を減少させるために、前記発振器への、前記所定周波数を制御する第１周波数制御信号として機能し、前記第２制御信号は、前記第２無線周波送信信号の搬送波周波数の前記偏差を減少させるために、前記第２ベースバンド変調部において前記位相変調処理を制御する第１位相制御信号として機能する無線通信端末装置である。
【発明の効果】
【００１０】
本発明によれば、第１制御信号は、第１無線周波送信信号の搬送波周波数の偏差を減少させるために、発振器への、所定周波数を制御する第１周波数制御信号として機能し、第２制御信号は、第２無線周波送信信号の搬送波周波数の偏差を減少させるために、第２ベースバンド変調部において位相変調処理を制御する第１位相制御信号として機能する。そのため、発振器を第１周波数制御信号により制御してクロック信号の所定周波数を変更することにより、第１無線周波送信信号を第１無線通信方式の無線基地局と同調させつつ、第２ベースバンド変調部における位相変調処理を第１位相制御信号により制御して第２無線周波送信信号の周波数を変更することにより、第２無線周波送信信号を第２無線通信方式の無線基地局と同調させることができる。よって、デュアルモード通信機たる無線通信端末装置において、２つの通信システムが同時に安定した通信を行うことが可能となる。
【発明を実施するための最良の形態】
【００１１】
＜実施の形態１＞
本実施の形態は、第１及び第２の無線通信方式の両方の通信が可能なデュアルモード通信機であって、発振器を制御してクロック信号の周波数を変更することにより、第１無線周波送信信号を第１無線通信方式の無線基地局と同調させつつ、第２ベースバンド変調部における位相変調処理を制御して第２無線周波送信信号の周波数を変更することにより、第２無線周波送信信号をも第２無線通信方式の無線基地局と同調させる無線通信端末装置である。
【００１２】
図１は、本実施の形態に係る無線通信端末装置のブロック図である。この無線通信端末装置は、ＷＣＤＭＡ無線通信処理部１０３、ＴＣＸＯ１００、Ｄ／Ａコンバータ１０１およびＧＳＭ無線通信処理部１１３を備えている。なお、本願の各実施の形態においては、第１の無線通信方式としてＷＣＤＭＡを、第２の無線通信方式としてＧＳＭを、それぞれ例に採る。もちろん、その他の異なる無線通信方式を第１及び第２の無線通信方式に採用しても良い。
【００１３】
図１において、発振器たるＴＣＸＯ１００は、本実施の形態に係る無線通信端末装置の源振クロック信号Ｓ１０ａ，Ｓ１０ｂを生成する部分である。源振クロック信号は、所定周波数にて発振する。また、Ｄ／Ａコンバータ１０１は、後述の制御信号Ｓ５ａに基づいて、ＴＣＸＯ１００の発振周波数を制御するためのアナログ電圧信号Ｓ６を生成するデジタル−アナログ変換器である。
【００１４】
次に、ＷＣＤＭＡ無線通信処理部１０３について説明する。ＷＣＤＭＡ無線通信処理部１０３は、ＷＣＤＭＡアンテナ１０２、ＷＣＤＭＡ無線通信部１０４およびＷＣＤＭＡ無線信号処理部１０５を含む。ＷＣＤＭＡアンテナ１０２は、ＷＣＤＭＡ無線通信用のアンテナである。ＷＣＤＭＡ無線通信部１０４は、ＷＣＤＭＡ無線受信部１０６およびＷＣＤＭＡ無線送信部１０７を備える。ＷＣＤＭＡ無線信号処理部１０５は、ＷＣＤＭＡベースバンド復調部１０８、ＷＣＤＭＡベースバンド変調部１０９、ＷＣＤＭＡ周波数偏差検出部１１０、ＷＣＤＭＡＡＦＣ（Automatic Frequency Control）部１１１を備える。
【００１５】
ＷＣＤＭＡ無線受信部１０６は、源振クロック信号Ｓ１０ａに基づいて、ＷＣＤＭＡアンテナ１０２からのＷＣＤＭＡ無線周波受信信号Ｓ１を受信し、ＷＣＤＭＡ無線周波受信信号Ｓ１をＷＣＤＭＡベースバンド受信信号Ｓ２に周波数変換する。ＷＣＤＭＡベースバンド復調部１０８は、ＷＣＤＭＡベースバンド受信信号Ｓ２を復調し、受信データＳ３ａとして出力する。また、ＷＣＤＭＡベースバンド復調部１０８は、ＷＣＤＭＡベースバンド受信信号Ｓ２中に含まれている基準信号Ｓ３ｂも抽出して、出力する。
【００１６】
ＷＣＤＭＡベースバンド変調部１０９は、送信データたるＷＣＤＭＡベースバンド送信信号Ｓ７を変調し、信号Ｓ８として出力する。ＷＣＤＭＡ無線送信部１０７は、変調されたＷＣＤＭＡベースバンド送信信号Ｓ８をＷＣＤＭＡ無線周波送信信号に周波数変換し、源振クロック信号Ｓ１０ａに基づいて、ＷＣＤＭＡ無線周波送信信号を信号Ｓ９としてＷＣＤＭＡアンテナ１０２を介して送信する。
【００１７】
ＷＣＤＭＡ周波数偏差検出部１１０は、基準信号Ｓ３ｂを受けて、ＷＣＤＭＡ無線基地局（図示せず）の送信周波数に対するＷＣＤＭＡ無線周波送信信号Ｓ９の搬送波周波数の偏差を検出する。ＷＣＤＭＡＡＦＣ部１１１は、検出された偏差のデータＳ４に基づいて、ＴＣＸＯ１００の発振周波数を制御するためのデジタルデータたる制御信号Ｓ５ａを生成する。
【００１８】
次に、ＧＳＭ無線通信処理部１１３について説明する。ＧＳＭ無線通信処理部１１３は、ＧＳＭアンテナ１１２、ＧＳＭ無線通信部１１４およびＧＳＭ無線信号処理部１１５を含む。ＧＳＭアンテナ１１２は、ＧＳＭ無線通信用のアンテナである。ＧＳＭ無線通信部１１４は、ＧＳＭ無線受信部１１６およびＧＳＭ無線送信部１１７を備える。ＧＳＭ無線信号処理部１１５は、ＧＳＭベースバンド復調部１１８、ＧＳＭベースバンド変調部１１９、ＧＳＭ周波数偏差検出部１２０、ＧＳＭＡＦＣ部１２１を備える。
【００１９】
ＧＳＭ無線受信部１１６は、源振クロック信号Ｓ１０ｂに基づいて、ＧＳＭアンテナ１１２からのＧＳＭ無線周波受信信号Ｓ１１を受信し、ＧＳＭ無線周波受信信号Ｓ１１をＧＳＭベースバンド受信信号Ｓ１２に周波数変換する。ＧＳＭベースバンド復調部１１８は、ＧＳＭベースバンド受信信号Ｓ１２を復調し、受信データＳ１３ａとして出力する。また、ＧＳＭベースバンド復調部１１８は、ＧＳＭベースバンド受信信号Ｓ１２中に含まれている基準信号Ｓ１３ｂも抽出して、出力する。
【００２０】
ＧＳＭベースバンド変調部１１９は、送信データたるＧＳＭベースバンド送信信号Ｓ１６を変調し、信号Ｓ１７として出力する。なお、この変調に際してＧＳＭベースバンド変調部１１９は、ＧＳＭベースバンド送信信号Ｓ１６に対して位相変調処理を行うことが可能である。ＧＳＭ無線送信部１１７は、変調されたＧＳＭベースバンド送信信号Ｓ１７をＧＳＭ無線周波送信信号に周波数変換し、源振クロック信号Ｓ１０ｂに基づいて、ＧＳＭ無線周波送信信号を信号Ｓ１８としてＧＳＭアンテナ１１２を介して送信する。
【００２１】
なお、図１では、ＷＣＤＭＡアンテナ１０２とＧＳＭアンテナ１１２とを別個に設けているが、１つのアンテナを用いて両無線通信方式の兼用のアンテナとして構成することも可能である。
【００２２】
ＧＳＭ周波数偏差検出部１２０は、基準信号Ｓ１３ｂを受けて、ＧＳＭ無線基地局（図示せず）の送信周波数に対するＧＳＭ無線周波送信信号Ｓ１８の搬送波周波数の偏差を検出する。ＧＳＭＡＦＣ部１２１は、検出された偏差のデータＳ１４に基づいて、ＧＳＭベースバンド変調部１１９にて位相変調処理を制御するためのデジタルデータたる位相制御信号Ｓ１５ａを生成する。
【００２３】
次に、図１の無線通信端末装置が、ＷＣＤＭＡとＧＳＭとのデュアルモード通信を行う場合の動作について説明する。まず、ＷＣＤＭＡ無線通信について説明する。ＷＣＤＭＡアンテナ１０２からのＷＣＤＭＡ無線周波受信信号Ｓ１は、ＷＣＤＭＡ無線受信部１０６にてＷＣＤＭＡベースバンド受信信号Ｓ２に周波数変換される。ＷＣＤＭＡベースバンド受信信号Ｓ２は、ＷＣＤＭＡベースバンド復調部１０８に入力され、受信データＳ３ａとして復調される。
【００２４】
この復調の際に抽出された基準信号Ｓ３ｂに基づいて、ＷＣＤＭＡ周波数偏差検出部１１０は、ＷＣＤＭＡ無線基地局に対する本無線通信端末装置の搬送波周波数の偏差、すなわち、ＷＣＤＭＡ無線基地局の送信周波数に対するＷＣＤＭＡ無線周波送信信号Ｓ９の搬送波周波数の偏差を検出する。なお、この周波数の偏差の値の測定単位には、周波数に依存しない相対値であるｐｐｍ（parts per million）を採用すればよい。そうすれば、ＴＣＸＯ１００の制御を正確に行うことが可能となる。
【００２５】
検出された偏差のデータＳ４は、ＷＣＤＭＡＡＦＣ部１１１に与えられる。ＷＣＤＭＡＡＦＣ部１１１は、偏差のデータＳ４に基づいて、ＴＣＸＯ１００の周波数制御特性（制御電圧値［Ｖ］と周波数変化量［Ｈｚ］との関係）を考慮した最適な制御電圧量を算出し、その制御電圧量をデジタルデータたる制御信号Ｓ５ａとしてＤ／Ａコンバータ１０１へと出力する。すなわち、この制御信号Ｓ５ａは、検出された上記の偏差を減少させるために、ＴＣＸＯ１００への、発振周波数を制御する周波数制御信号として機能する。
【００２６】
制御信号Ｓ５ａは、Ｄ／Ａコンバータ１０１に入力される。Ｄ／Ａコンバータ１０１は、入力された制御信号Ｓ５ａのデジタルデータに対応した電圧信号Ｓ６を生成し、ＴＣＸＯ１００へと出力する。
【００２７】
例えば源振クロック信号Ｓ１０ａ，Ｓ１０ｂの発振周波数を上げる場合には、制御信号Ｓ５ａとして、電圧信号Ｓ６の電圧を上げるデータがＤ／Ａコンバータ１０１に与えられる。一方、源振クロック信号Ｓ１０ａ，Ｓ１０ｂの発振周波数を下げる場合には、制御信号Ｓ５ａとして、電圧信号Ｓ６の電圧を下げるデータがＤ／Ａコンバータ１０１に与えられる。その結果、ＴＣＸＯ１００における発振周波数が変化する。
【００２８】
以上の動作により、ＴＣＸＯ１００からの源振クロック信号Ｓ１０ａの発振周波数が最適に制御され、ＷＣＤＭＡ無線周波送信信号Ｓ９の搬送波周波数をＷＣＤＭＡ無線基地局の送信周波数に同調させることができ、安定した通信を行うことが可能となる。
【００２９】
次に、ＧＳＭ無線通信について説明する。ＧＳＭアンテナ１１２からのＧＳＭ無線周波受信信号Ｓ１１は、ＧＳＭ無線受信部１１６にてＧＳＭベースバンド受信信号Ｓ１２に周波数変換される。ＧＳＭベースバンド受信信号Ｓ１２は、ＧＳＭベースバンド復調部１１８に入力され、受信データＳ１３ａとして復調される。
【００３０】
この復調の際に抽出された基準信号Ｓ１３ｂに基づいて、ＧＳＭ周波数偏差検出部１２０は、ＧＳＭ無線基地局に対する本無線通信端末装置の搬送波周波数の偏差、すなわち、ＧＳＭ無線基地局の送信周波数に対するＧＳＭ無線周波送信信号Ｓ１８の搬送波周波数の偏差を検出する。なお、この周波数の偏差の値の測定単位にも、周波数に依存しない相対値であるｐｐｍを採用すればよい。
【００３１】
検出された偏差のデータＳ１４は、ＧＳＭＡＦＣ部１２１に与えられる。ＧＳＭＡＦＣ部１２１は、偏差のデータＳ１４に基づいて、位相制御データたる制御信号Ｓ１５ａを生成し、ＧＳＭベースバンド変調部１１９に対して制御信号Ｓ１５ａを出力する。制御信号Ｓ１５ａは、ＧＳＭベースバンド変調部１１９におけるＧＳＭベースバンド送信信号Ｓ１６に対する位相変調処理を制御し、それによりＧＳＭベースバンド送信信号Ｓ１６の周波数を変調するための信号である。
【００３２】
原理的に、位相変調を行えば周波数変調を行うことも可能である。そのため、ＧＳＭベースバンド送信信号Ｓ１６の位相を変調することによりその周波数を変調し、ＧＳＭ無線周波送信信号Ｓ１８の搬送波周波数を制御することが可能である。すなわち、この制御信号Ｓ１５ａは、ＧＳＭ無線周波送信信号Ｓ１８の搬送波周波数の偏差を減少させるために、ＧＳＭベースバンド変調部１１９において位相変調処理を制御する位相制御信号として機能する。
【００３３】
例えば、ＧＳＭ無線周波送信信号Ｓ１８の搬送波周波数を上げる場合には、制御信号Ｓ１５ａとして、ある固定位相値を連続的にＧＳＭベースバンド送信信号Ｓ１６に対して加算してゆくデータが生成される。一方、ＧＳＭ無線周波送信信号Ｓ１８の搬送波周波数を下げる場合には、制御信号Ｓ１５ａとして、ある固定位相値を連続的にＧＳＭベースバンド送信信号Ｓ１６から減算してゆくデータが生成される。その結果、ＧＳＭ無線周波送信信号Ｓ１８の搬送波周波数が変化する。
【００３４】
以上の動作により、ＧＳＭベースバンド送信信号Ｓ１６への位相変調処理が最適に制御され、その結果、ＧＳＭ無線周波送信信号Ｓ１８の搬送波周波数が最適に制御され、ＧＳＭ無線周波送信信号Ｓ１８の搬送波周波数をＧＳＭ無線基地局の送信周波数に同調させることができ、安定した通信を行うことが可能となる。
【００３５】
このように本無線通信端末装置では、ＷＣＤＭＡ及びＧＳＭの各無線基地局への無線周波数の同調を行うために、ＷＣＤＭＡ通信時には源振クロック信号Ｓ１０ａを出力するＴＣＸＯ１００における発振周波数の制御を行い、ＧＳＭ通信時にはＧＳＭベースバンド変調部１１９における周波数制御を行う。つまり、無線通信方式毎に無線周波数が独立して制御される。
【００３６】
次に、効果について説明する。デュアルモード通信機では、２つの通信システム、例えば上記のようなＷＣＤＭＡとＧＳＭとの両方の同時通信を可能とする必要がある。しかし、同時通信の際、両システムともに無線基地局への無線周波数の同調手段として同一の手段、例えばＴＣＸＯ１００の周波数制御を用いた場合には、どちらか一方のシステムの無線基地局に対しては最適な同調制御が可能なものの、他方のシステムの無線基地局へは最適な同調ができなくなる可能性がある。特に、フェージングやドップラー効果などによる通信路の影響を受ける場合には、この問題が顕著となる。
【００３７】
一方、本発明によれば、上記動作の説明に記載のように、各システムで無線基地局への無線周波数の同調手段が独立している。そのため、両システムともに無線基地局に対し最適な無線周波数同調が可能となり、安定した通信が確保できる。また、ＴＣＸＯ１００の周波数制御を２つのシステムから行うことがないため、ＴＣＸＯ制御権の調停や制御スケジューリングなどの複雑な仕組みが不要となる。
【００３８】
すなわち、本実施の形態に係る無線通信端末装置によれば、制御信号Ｓ５ａは、ＷＣＤＭＡ無線周波送信信号Ｓ９の搬送波周波数の偏差を減少させるために、発振器たるＴＣＸＯ１００への、発振周波数を制御する周波数制御信号として機能し、制御信号Ｓ１５ａは、ＧＳＭ無線周波送信信号Ｓ１８の搬送波周波数の偏差を減少させるために、ＧＳＭベースバンド変調部１１９において位相変調処理を制御する位相制御信号として機能する。そのため、ＴＣＸＯ１００を周波数制御信号により制御してクロック信号Ｓ１０ａの発振周波数を変更することにより、ＷＣＤＭＡ無線周波送信信号Ｓ９をＷＣＤＭＡ無線基地局と同調させつつ、ＧＳＭベースバンド変調部１１９における位相変調処理を位相制御信号により制御してＧＳＭ無線周波送信信号Ｓ１８の周波数を変更することにより、ＧＳＭ無線周波送信信号Ｓ１８をＧＳＭ無線基地局と同調させることができる。よって、デュアルモード通信機たる無線通信端末装置において、２つの通信システムが同時に安定した通信を行うことが可能となる。
【００３９】
＜実施の形態２＞
本実施の形態は、実施の形態１に係る無線通信端末装置の変形例であって、制御信号Ｓ５ａの変化量を所定の関数にて演算し、演算結果を出力する周波数変化量算出部と、ＧＳＭ無線周波送信信号Ｓ１８の搬送波周波数の偏差に対して演算結果を加算する加算部とをさらに備え、ＧＳＭＡＦＣ部１２１が、演算結果が加算された偏差に基づいて、制御信号Ｓ１５ａを生成するようにしたものである。
【００４０】
図２は、本実施の形態に係る無線通信端末装置を示す図である。なお、図２においては、ＧＳＭ周波数偏差検出部１２０の後段に設けられた加算器２２０ａと、制御信号Ｓ５ａを受けるＴＣＸＯ周波数変化量算出部２２０ｂとが追加され、加算器２２０ａが、ＧＳＭ周波数偏差検出部１２０にて検出された偏差のデータＳ１４ａにＴＣＸＯ周波数変化量算出部２２０ｂでの演算結果Ｓ１４ｂを加算して、制御信号Ｓ１４ｃをＧＳＭＡＦＣ部１２１に出力するように変更されている点以外、装置構成は図１と同じである。
【００４１】
ＴＣＸＯ周波数変化量算出部２２０ｂは、ＷＣＤＭＡＡＦＣ部１１１からの制御信号Ｓ５ａを受け、ＴＣＸＯ周波数変化量算出部２２０ｂ内のメモリ等の一時格納場所（図示せず）に、制御信号Ｓ５ａのデータを格納する。このデータをＶ１とする。
【００４２】
次に、ＷＣＤＭＡＡＦＣ部１１１からの制御信号Ｓ５ａが新しい値に変化した場合（新しいデータをＶ２とする）、Ｖ２とＶ１との差分から、ＴＣＸＯ周波数変化量算出部２２０ｂは、ＴＣＸＯ１００の制御電圧と周波数との関係に基づいて、ＴＣＸＯ１００の周波数変化量（func（Ｖ２−Ｖ１））を算出する。すなわち、ＴＣＸＯ周波数変化量算出部２２０ｂは、制御信号Ｓ５ａを受け、制御信号Ｓ５ａの変化量（Ｖ２−Ｖ１）を所定の関数func（ ）にて演算し、その演算結果を信号Ｓ１４ｂとして出力する。なお、所定の関数func（ ）の内容については、ＴＣＸＯ１００の制御電圧と周波数との関係に基づいて、下記の制御が実現できるような関数を適宜、選択すればよい。
【００４３】
その後、演算結果Ｓ１４ｂの値は、加算器２２０ａにより、ＧＳＭ周波数偏差検出部１２０にて検出された偏差のデータＳ１４ａ（これをΔｆＧａとする）に加算され、加算結果が制御信号Ｓ１４ｃ（これをΔｆＧｂとする）としてＧＳＭＡＦＣ部１２１に出力される。すなわち、ΔｆＧｂ＝ΔｆＧａ＋func（Ｖ２−Ｖ１）との関係が成り立つ。そして、ＧＳＭＡＦＣ部１２１は、偏差のデータＳ１４ａと演算結果Ｓ１４ｂとの加算結果たる制御信号Ｓ１４ｃに基づいて、制御信号Ｓ１５ａを生成する。
【００４４】
図３は、ＧＳＭの無線通信フレームとＷＣＤＭＡの無線通信フレームとを示すタイミングチャートである。ＧＳＭの無線通信フレームタイミングを考慮した動作について、図３を用いて具体的に説明する。
【００４５】
まず、ＷＣＤＭＡ無線通信とＧＳＭ無線通信とのフレームタイミングの関係について説明する。ＷＣＤＭＡ無線通信フレームは１０ｍｓｅｃ周期、ＧＳＭ無線通信のフレームは約４．６１ｍｓｅｃ周期であり、お互いの無線通信フレームは非同期の関係にある。一方、本実施の形態においては、ＴＣＸＯ１００の周波数制御は、ＷＣＤＭＡベースバンド復調部１０８での復調結果に基づいて、ＷＣＤＭＡ無線通信フレームタイミングに同期して行われる。そのため、ＷＣＤＭＡ無線通信フレーム周期でＴＣＸＯ１００での発振周波数は変化する。よって、通常は、ＧＳＭ無線通信フレームの周期途中で、ＴＣＸＯ１００の発振周波数が変化することになる。
【００４６】
次に、本実施の形態に係る無線通信端末装置の制御方法について説明する。ＧＳＭ周波数偏差検出部１２０で算出される周波数の偏差ΔｆＧａは、ＧＳＭ無線通信のフレームタイミング周期（４．６１ｍｓｅｃ）で更新される。例えば、図３に示すようにフレーム番号がＮの時はΔｆＧａ＿Ｎとの値となる。
【００４７】
一方、ＷＣＤＭＡＡＦＣ部１１１から出力されるＴＣＸＯ１００制御用デジタルデータたる制御信号Ｓ５ａは、ＷＣＤＭＡ無線通信のフレームタイミング周期（１０ｍｓｅｃ）でＶ１からＶ２へと更新される。この時、ＴＣＸＯ周波数変化量算出部２２０ｂは、Ｖ２とＶ１との差分に基づいて、ＴＣＸＯ１００の周波数変化量（func（Ｖ２−Ｖ１））を算出し、加算器２２０ａはΔｆＧａ＿Ｎとfunc（Ｖ２−Ｖ１）とを加算して、制御信号Ｓ１４ｃを出力する。
【００４８】
ＧＳＭＡＦＣ部１２１は、制御信号Ｓ１４ｃに基づいて位相制御用の制御信号Ｓ１５を生成する。これにより、ＧＳＭ無線通信フレーム中の、ＷＣＤＭＡからのＴＣＸＯ１００制御によるＧＳＭ無線送信周波数のずれを打ち消すことが可能となる。
【００４９】
上述のΔｆＧｂ＝ΔｆＧａ＋func（Ｖ２−Ｖ１）につき、より具体的な関数の例と数値例とを下記に示す。例えば、ＧＳＭ周波数偏差検出部１２０にて検出された周波数偏差ΔｆＧａの値が４５０［Ｈｚ］であるとする。また、ＷＣＤＭＡＡＦＣ部１１１より出力される制御信号Ｓ５ａのデジタルデータが、Ｖ１＝３３０からＶ２＝３００へと変化したとする。また、制御信号Ｓ５ａのＶ１，Ｖ２のデータが、Ｄ／Ａコンバータ１０１にて電圧信号Ｓ６に変換されると、電圧信号Ｓ６の値がそれぞれＶ１ａ＝１．１［Ｖ］、Ｖ２ａ＝１．０［Ｖ］になるとする。また、ＴＣＸＯ１００における基準発振周波数ｆｓが１３［ＭＨｚ］であるとする。
【００５０】
図４は、電圧信号Ｓ６とＴＣＸＯ１００における発振周波数ｆｔ（Ｖｘａ）との関係を示すグラフである。このグラフでは例として、電圧信号Ｓ６とＴＣＸＯ１００における発振周波数ｆｔ（Ｖｘａ）とが線形特性を有する場合を示しており、Ｖ１ａ＝１．１［Ｖ］のときには発振周波数が１３０００００３［Ｈｚ］と、Ｖ２ａ＝１．０［Ｖ］のときには発振周波数が１３００００００［Ｈｚ］とされている。
【００５１】
ここで、関数func（Ｖ２−Ｖ１）を、ＧＳＭ無線周波送信信号Ｓ１８の搬送波周波数をｆＧＣとして、（ｆｔ（Ｖ２ａ）−ｆｔ（Ｖ１ａ））／ｆｓ×ｆＧＣと定義する。このとき、ｆＧＣ＝９４７．４［ＭＨｚ］（Channel＝62）とすれば、関数func（Ｖ２−Ｖ１）の値は、（１３００００００−１３０００００３）／１３［ＭＨｚ］×９４７．４［ＭＨｚ］＝−２１９［Ｈｚ］と計算される。
【００５２】
よって、ΔｆＧｂ＝ΔｆＧａ＋func（Ｖ２−Ｖ１）より、ΔｆＧｂ＝４５０−２１９＝２３１［Ｈｚ］と計算される。そして、このΔｆＧｂの値が、ＧＳＭＡＦＣ部１２１に与えられる。
【００５３】
その他の点については、実施の形態１に係る無線通信端末装置と同様のため、説明を省略する。
【００５４】
本実施の形態に係る無線通信端末装置によれば、ＴＣＸＯ周波数変化量算出部２２０ｂは、制御信号Ｓ５ａの変化量を所定の関数にて演算し、演算結果Ｓ１４ｂを出力する。そして、ＧＳＭＡＦＣ部１２１は、演算結果Ｓ１４ｂが加算されたＧＳＭ無線周波送信信号の搬送波周波数の偏差のデータＳ１４ａに基づいて、制御信号Ｓ１５ａを生成する。よって、ＷＣＤＭＡの無線通信フレームとＧＳＭの無線通信フレームとが非同期である場合に、ＧＳＭの通信フレーム途中で発生する、ＷＣＤＭＡによるＴＣＸＯ１００制御の影響を打ち消すことが可能となり、ＧＳＭ無線周波送信信号の送信周波数をＧＳＭ無線基地局に同調させることができ、安定した通信を行うことが可能となる。
【００５５】
＜実施の形態３＞
本実施の形態も、実施の形態１に係る無線通信端末装置の変形例であって、ＷＣＤＭＡでの通信ができない場合などに、本無線通信端末装置を、安定した通信が可能なＧＳＭの無線通信端末装置として利用することができるよう、更なる他のＧＳＭＡＦＣ部と二個のセレクタとを設けたものである。
【００５６】
図５は、本実施の形態に係る無線通信端末装置のブロック図である。この無線通信端末装置は、図１の無線通信端末装置の構成に加えて、第１セレクタ３００、第２セレクタ３２２、及び、他のＧＳＭＡＦＣ部３２１を更に備える。
【００５７】
第２セレクタ３２２は、検出された偏差のデータＳ１４を、選択信号Ｓ２１に応じてＧＳＭＡＦＣ部１２１，３２１のいずれかに出力可能である。ＧＳＭＡＦＣ部３２１は、検出された偏差のデータＳ１４に基づいて、ＴＣＸＯ１００の発振周波数を制御するためのデジタルデータたる制御信号Ｓ１５ｂを生成する。すなわち、制御信号Ｓ１５ｂは、ＧＳＭ無線周波送信信号Ｓ１８の搬送波周波数の偏差を減少させるために、ＴＣＸＯ１００への、発振周波数を制御する周波数制御信号として機能する。第１セレクタ３００は、制御信号Ｓ５ａ，Ｓ１５ｂを受け、通信モード選択信号Ｓ１９に応じて制御信号Ｓ５ａ，Ｓ１５ｂのいずれかを選択して、ＴＣＸＯ１００に向けてＤ／Ａコンバータ１０１へと出力する。
【００５８】
次に、動作について説明する。ＷＣＤＭＡおよびＧＳＭのデュアルモード通信機において、実施の形態１の場合のようにＴＣＸＯ１００における発振周波数をＷＣＤＭＡ用に制御することで、ＷＣＤＭＡの安定通信が行える。しかし、デュアルモード通信機をＧＳＭ通信のみを行うモードで動作する場合、ＷＣＤＭＡ無線通信処理部１０３はＷＣＤＭＡ無線信号を受信しない。そのため、ＴＣＸＯ１００の周波数制御を行うことがない。その場合、ＴＣＸＯ１００における発振周波数とＧＳＭ無線基地局の送信周波数との間に大きな偏差が発生しやすい。
【００５９】
そこで、本実施の形態のように、ＧＳＭ無線通信処理部１１３にも、ＴＣＸＯ１００の制御信号Ｓ１５ｂを出力可能なＧＳＭＡＦＣ部３２１を設け、さらに、ＴＣＸＯ１００を制御する制御信号Ｓ５ａ，Ｓ１５ｂを選択する第１セレクタ３００、および、ＧＳＭＡＦＣ部１２１，３２１のいずれに偏差のデータＳ１４を与えるか選択する第２セレクタ３２２を設ける。
【００６０】
そして、無線通信端末装置がＧＳＭ通信モードとして起動される場合、選択信号Ｓ２１に応じて第２セレクタ３２２は、ＧＳＭＡＦＣ部３２１に偏差のデータＳ１４を与える。そして、ＧＳＭＡＦＣ部３２１は、偏差のデータＳ１４に基づいて、ＴＣＸＯ１００の周波数制御特性（制御電圧値［Ｖ］と周波数変化量［Ｈｚ］との関係）を考慮した最適な制御電圧量を算出し、その制御電圧量をデジタルデータたる制御信号Ｓ１５ｂを生成する。すなわち、この制御信号Ｓ５ａは、検出された上記の偏差を減少させるために、ＴＣＸＯ１００への、発振周波数を制御する周波数制御信号として機能する。
【００６１】
この場合、通信モード選択信号Ｓ１９は例えば‘１’となり、セレクタ３００はＧＳＭＡＦＣ部３２１からの制御信号Ｓ１５ｂをＤ／Ａコンバータ１０１に出力する。その結果、ＴＣＸＯ１００は、ＧＳＭ無線基地局に同調するように制御され、安定した通信を行うことが可能となる。なお、この場合は、実施の形態１にて行っていた、ＧＳＭベースバンド変調部１１９におけるＧＳＭベースバンド送信信号Ｓ１６への位相変調処理を行う必要はない。
【００６２】
一方、無線通信端末装置がＷＣＤＭＡ通信モードもしくはデュアルモードとして起動される場合、選択信号Ｓ２１に応じて第２セレクタ３２２は、ＧＳＭＡＦＣ部１２１に偏差のデータＳ１４を与える。そして、ＧＳＭＡＦＣ部１２１は、偏差のデータＳ１４に基づいて、実施の形態１の場合と同様、ＧＳＭベースバンド変調部１１９にて位相変調処理を制御するためのデジタルデータたる位相制御信号Ｓ１５ａを生成する。この場合、通信モード選択信号Ｓ１９が、例えば‘０’となり、セレクタ３００はＷＣＤＭＡＡＦＣ部１１１からの制御信号Ｓ５ａをＤ／Ａコンバータ１０１に出力する。すなわち、ＷＣＤＭＡモードまたはＷＣＤＭＡおよびＧＳＭのデュアルモード時の動作は、実施の形態１の場合と同様である。
【００６３】
なお、通信モード選択信号Ｓ１９および選択信号Ｓ２１は、無線通信端末装置に搭載された、ＣＰＵなどのプロセッサ（図示せず）により、通信状態に合わせて動的に生成すればよい。
【００６４】
本実施の形態に係る無線通信端末装置によれば、制御信号Ｓ１５ｂは、ＧＳＭ無線周波送信信号Ｓ１８の搬送波周波数の偏差を減少させるために、ＴＣＸＯ１００への、発振周波数を制御する周波数制御信号として機能する。そのため、第１及び第２セレクタ３００，３２１を選択信号Ｓ１９，Ｓ２１で制御することにより、ＧＳＭ無線周波送信信号Ｓ１８の搬送波周波数の偏差のデータＳ１４をＧＳＭＡＦＣ部３２１に与え、制御信号Ｓ１５ｂをＴＣＸＯ１００へと与えることができる。この場合は、ＴＣＸＯ１００をＧＳＭ側の周波数制御信号により制御して源振クロック信号Ｓ１０ｂの発振周波数を変更することにより、ＧＳＭ無線周波送信信号Ｓ１８をＧＳＭ無線基地局と同調させることができる。よって、ＷＣＤＭＡでの通信ができない場合などに、本無線通信端末装置を、安定した通信が可能なＧＳＭの端末として利用することもできる。
【００６５】
＜実施の形態４＞
本実施の形態も、実施の形態１に係る無線通信端末装置の変形例であって、実施の形態１におけるＷＣＤＭＡ側のＴＣＸＯ１００の制御とＧＳＭ側の位相変調処理とを入れ替えたものである。
【００６６】
図６は、本実施の形態に係る無線通信端末装置のブロック図である。この無線通信端末装置では、ＷＣＤＭＡベースバンド変調部１０９は、送信データたるＷＣＤＭＡベースバンド送信信号Ｓ７の変調に際して、ＷＣＤＭＡベースバンド送信信号Ｓ７に対して位相変調処理を行うことが可能である。そして、この無線通信端末装置は、ＷＣＤＭＡＡＦＣ部１１１に代わってＷＣＤＭＡＡＦＣ部４１１を備えている。ＷＣＤＭＡＡＦＣ部４１１は、検出された偏差のデータＳ４に基づいて、ＷＣＤＭＡベースバンド変調部１０９にて位相変調処理を制御するためのデジタルデータたる位相制御信号Ｓ５ｂを生成する。
【００６７】
また、ＧＳＭ側には、実施の形態３にて示した、ＴＣＸＯ１００の発振周波数の制御信号Ｓ１５ｂを生成可能なＧＳＭＡＦＣ部３２１が設けられている。その他の点については、実施の形態１に係る無線通信端末装置と同様のため、説明を省略する。
【００６８】
次に、図６の無線通信端末装置が、ＷＣＤＭＡとＧＳＭとのデュアルモード通信を行う場合の動作について説明する。まず、ＷＣＤＭＡ無線通信について説明する。ＷＣＤＭＡ無線受信部１０６、ＷＣＤＭＡベースバンド復調部１０８及びＷＣＤＭＡ周波数偏差検出部１１０の各部の動作は、実施の形態１に係る無線通信端末装置と同様のため、説明を省略する。
【００６９】
ＷＣＤＭＡＡＦＣ部４１１は、偏差のデータＳ４に基づいて、位相制御データたる制御信号Ｓ５ｂを生成し、ＷＣＤＭＡベースバンド変調部１０９に対して制御信号Ｓ５ｂを出力する。制御信号Ｓ５ｂは、ＷＣＤＭＡベースバンド変調部１０９におけるＷＣＤＭＡベースバンド送信信号Ｓ７に対する位相変調処理を制御し、それによりＷＣＤＭＡベースバンド送信信号Ｓ７の周波数を変調するための信号である。すなわち、この制御信号Ｓ５ｂは、ＷＣＤＭＡ無線周波送信信号Ｓ９の搬送波周波数の偏差を減少させるために、ＷＣＤＭＡベースバンド変調部１０９において位相変調処理を制御する位相制御信号として機能する。
【００７０】
例えば、ＷＣＤＭＡ無線周波送信信号Ｓ９の搬送波周波数を上げる場合には、制御信号Ｓ５ｂとして、ある固定位相値を連続的にＷＣＤＭＡベースバンド送信信号Ｓ７に対して加算してゆくデータが生成される。一方、ＷＣＤＭＡ無線周波送信信号Ｓ９の搬送波周波数を下げる場合には、制御信号Ｓ５ｂとして、ある固定位相値を連続的にＷＣＤＭＡベースバンド送信信号Ｓ７から減算してゆくデータが生成される。その結果、ＷＣＤＭＡ無線周波送信信号Ｓ９の搬送波周波数が変化する。
【００７１】
以上の動作により、ＷＣＤＭＡベースバンド送信信号Ｓ７への位相変調処理が最適に制御され、その結果、ＷＣＤＭＡ無線周波送信信号Ｓ９の搬送波周波数が最適に制御され、ＷＣＤＭＡ無線周波送信信号Ｓ９の搬送波周波数をＷＣＤＭＡ無線基地局の送信周波数に同調させることができ、安定した通信を行うことが可能となる。
【００７２】
次に、ＧＳＭ無線通信について説明する。ＧＳＭ無線受信部１１６、ＧＳＭベースバンド復調部１１８及びＧＳＭ周波数偏差検出部１２０の各部の動作は、実施の形態１に係る無線通信端末装置と同様のため、説明を省略する。
【００７３】
ＧＳＭＡＦＣ部３２１は、偏差のデータＳ１４に基づいて、ＴＣＸＯ１００の発振周波数を制御するためのデジタルデータたる制御信号Ｓ１５ｂを生成する。すなわち、この制御信号Ｓ１５ｂは、検出された上記の偏差を減少させるために、ＴＣＸＯ１００への、発振周波数を制御する周波数制御信号として機能する。
【００７４】
制御信号Ｓ１５ｂは、Ｄ／Ａコンバータ１０１に入力される。Ｄ／Ａコンバータ１０１は、入力された制御信号Ｓ１５ｂのデジタルデータに対応した電圧信号Ｓ６を生成し、ＴＣＸＯ１００へと出力する。
【００７５】
例えば源振クロック信号Ｓ１０ａ，Ｓ１０ｂの発振周波数を上げる場合には、制御信号Ｓ１５ｂとして、電圧信号Ｓ６の電圧を上げるデータがＤ／Ａコンバータ１０１に与えられる。一方、源振クロック信号Ｓ１０ａ，Ｓ１０ｂの発振周波数を下げる場合には、制御信号Ｓ１５ｂとして、電圧信号Ｓ６の電圧を下げるデータがＤ／Ａコンバータ１０１に与えられる。その結果、ＴＣＸＯ１００における発振周波数が変化する。
【００７６】
以上の動作により、ＴＣＸＯ１００からの源振クロック信号Ｓ１０ｂの発振周波数が最適に制御され、ＧＳＭ無線周波送信信号Ｓ１８の搬送波周波数をＧＳＭ無線基地局の送信周波数に同調させることができ、安定した通信を行うことが可能となる。
【００７７】
すなわち、本実施の形態に係る無線通信端末装置によれば、制御信号Ｓ１５ｂは、ＧＳＭ無線周波送信信号Ｓ１８の搬送波周波数の偏差を減少させるために、発振器たるＴＣＸＯ１００への、発振周波数を制御する周波数制御信号として機能し、制御信号Ｓ５ｂは、ＷＣＤＭＡ無線周波送信信号Ｓ９の搬送波周波数の偏差を減少させるために、ＷＣＤＭＡベースバンド変調部１０９において位相変調処理を制御する位相制御信号として機能する。そのため、ＴＣＸＯ１００を周波数制御信号により制御してクロック信号Ｓ１０ｂの発振周波数を変更することにより、ＧＳＭ無線周波送信信号Ｓ１８をＧＳＭ無線基地局と同調させつつ、ＷＣＤＭＡベースバンド変調部１０９における位相変調処理を位相制御信号により制御してＷＣＤＭＡ無線周波送信信号Ｓ９の周波数を変更することにより、ＷＣＤＭＡ無線周波送信信号Ｓ９をＷＣＤＭＡ無線基地局と同調させることができる。よって、デュアルモード通信機たる無線通信端末装置において、２つの通信システムが同時に安定した通信を行うことが可能となる。
【００７８】
＜実施の形態５＞
本実施の形態は、実施の形態１、３及び４に係る無線通信端末装置の変形例であって、ＷＣＤＭＡ側でのＴＣＸＯ１００の制御および位相変調処理、並びに、ＧＳＭ側でのＴＣＸＯ１００の制御および位相変調処理、のいずれをも可能とするため、実施の形態３の構成に、更なるセレクタと実施の形態４に示したＷＣＤＭＡＡＦＣ部とを設けたものである。
【００７９】
図７は、本実施の形態に係る無線通信端末装置の一部を示すブロック図である。図７は、本発明を１つの半導体チップ（ＬＳＩ）で実現する場合の構成を示しており、上記の実施の形態１、３及び４をＬＳＩ内のセレクタを用いて実現する場合である。
【００８０】
図７において、ＬＳＩ５００はＷＣＤＭＡ及びＧＳＭのベースバンド信号処理を行う機能を搭載したＬＳＩである。この無線通信端末装置は、図５の無線通信端末装置の構成に加えて、第３セレクタ４１２及び他のＷＣＤＭＡＡＦＣ部４１１を更に備える。また、この無線通信端末装置では、ＷＣＤＭＡベースバンド変調部１０９は、送信データたるＷＣＤＭＡベースバンド送信信号Ｓ７の変調に際して、ＷＣＤＭＡベースバンド送信信号Ｓ７に対して位相変調処理を行うことが可能である。
【００８１】
第３セレクタ４１２は、検出された偏差のデータＳ４を、選択信号Ｓ２０に応じてＷＣＤＭＡＡＦＣ部１１１，４１１のいずれかに出力可能である。ＷＣＤＭＡＡＦＣ部４１１は、実施の形態４におけると同様、偏差のデータＳ４に基づいて、位相制御データたる制御信号Ｓ５ｂを生成し、ＷＣＤＭＡベースバンド変調部１０９に対して制御信号Ｓ５ｂを出力する。制御信号Ｓ５ｂは、ＷＣＤＭＡベースバンド変調部１０９におけるＷＣＤＭＡベースバンド送信信号Ｓ７に対する位相変調処理を制御し、それによりＷＣＤＭＡベースバンド送信信号Ｓ７の周波数を変調するための信号である。すなわち、この制御信号Ｓ５ｂは、ＷＣＤＭＡ無線周波送信信号Ｓ９の搬送波周波数の偏差を減少させるために、ＷＣＤＭＡベースバンド変調部１０９において位相変調処理を制御する位相制御信号として機能する。
【００８２】
次に、実施の形態１、３及び４のそれぞれのケースにおけるＬＳＩ５００内の各セレクタ３００、３２２、４１２の各位置について説明する。各セレクタ３００、３２２、４１２は対応する各選択信号Ｓ１９，Ｓ２０，Ｓ２１によって、以下のように選択される。すなわち、実施の形態１の場合は、セレクタ３００は制御信号Ｓ５ａをＴＣＸＯ１００へと与え、セレクタ３２２はＧＳＭ無線周波送信信号Ｓ１８の搬送波周波数の偏差のデータＳ１４をＧＳＭＡＦＣ部１２１に与える。また、セレクタ４１２はＷＣＤＭＡ無線周波送信信号Ｓ９の搬送波周波数の偏差のデータＳ１４をＷＣＤＭＡＡＦＣ部１１１に与える。
【００８３】
また、実施の形態３の場合は、セレクタ３００は制御信号Ｓ５ａまたはＳ１５ｂをＴＣＸＯ１００へと与え、セレクタ３２２はＧＳＭ無線周波送信信号Ｓ１８の搬送波周波数の偏差のデータＳ１４をＧＳＭＡＦＣ部１２１または３２１に与える。また、セレクタ４１２はＷＣＤＭＡ無線周波送信信号Ｓ９の搬送波周波数の偏差のデータＳ４をＷＣＤＭＡＡＦＣ部１１１に与える。また、実施の形態４の場合は、セレクタ３００は制御信号Ｓ１５ｂをＴＣＸＯ１００へと与え、セレクタ３２２はＧＳＭ無線周波送信信号Ｓ１８の搬送波周波数の偏差のデータＳ１４をＧＳＭＡＦＣ部３２１に与える。また、セレクタ４１２はＷＣＤＭＡ無線周波送信信号Ｓ９の搬送波周波数の偏差のデータＳ４をＷＣＤＭＡＡＦＣ部４１１に与える。
【００８４】
なお、各選択信号は、ＬＳＩ５００に搭載のＣＰＵなどのプロセッサ（図示せず）により、通信状態に合わせて動的に生成すればよい。
【００８５】
本実施の形態に係る無線通信端末装置によれば、制御信号Ｓ５ｂは、ＷＣＤＭＡ無線周波送信信号Ｓ９の搬送波周波数の偏差を減少させるために、ＷＣＤＭＡベースバンド変調部１０９において位相変調処理を制御する位相制御信号として機能する。そのため、セレクタ３００，４１２，３２２を選択信号Ｓ１９，Ｓ２０，Ｓ２１で制御することにより、実施の形態４の場合のように、ＷＣＤＭＡ無線周波送信信号Ｓ９の搬送波周波数の偏差のデータＳ４をＷＣＤＭＡＡＦＣ部４１１に与え、制御信号Ｓ５ｂをＷＣＤＭＡベースバンド変調部１０９へと与えることもできる。この場合は、ＴＣＸＯ１００を周波数制御信号により制御してクロック信号Ｓ１０ｂの発振周波数を変更することにより、ＧＳＭ無線周波送信信号Ｓ１８をＧＳＭ無線基地局と同調させつつ、ＷＣＤＭＡベースバンド変調部１０９における位相変調処理を位相制御信号により制御してＷＣＤＭＡ無線周波送信信号Ｓ９の周波数を変更することにより、ＷＣＤＭＡ無線周波送信信号Ｓ９をＷＣＤＭＡ無線基地局と同調させることができる。よって、デュアルモード通信機たる無線通信端末装置において、２つの通信システムが同時に安定した通信を行うことが可能となる。
【００８６】
また、ＬＳＩ５００内に各セレクタ３００，４１２，３２２を搭載することで、本発明が小型に実現可能となる。また、各セレクタ３００，４１２，３２２の選択をＣＰＵなどで設定可能とすることにより、ＷＣＤＭＡ、ＧＳＭの各通信状態に合わせて、無線基地局への同調を最適に実現することが可能となる。
【００８７】
なお、本実施の形態におていは、ＷＣＤＭＡ無線信号処理部１０５およびＧＳＭ無線信号処理部１１５の部分をＬＳＩ５００内に搭載しているが、ＷＣＤＭＡ無線通信部１０４及びＧＳＭ無線通信部１１４、Ｄ／Ａコンバータ１０１、ＴＣＸＯ１００を同一ＬＳＩ内に搭載することも可能である。
【図面の簡単な説明】
【００８８】
【図１】実施の形態１に係る無線通信端末装置のブロック図である。
【図２】実施の形態２に係る無線通信端末装置のブロック図である。
【図３】ＧＳＭの無線通信フレームとＷＣＤＭＡの無線通信フレームとを示すタイミングチャートである。
【図４】電圧信号とＴＣＸＯの発振周波数との関係を示すグラフである。
【図５】実施の形態３に係る無線通信端末装置のブロック図である。
【図６】実施の形態４に係る無線通信端末装置のブロック図である。
【図７】実施の形態５に係る無線通信端末装置の一部を示すブロック図である。
【符号の説明】
【００８９】
１００  ＴＣＸＯ、１０１  Ｄ／Ａコンバータ、１０６  ＷＣＤＭＡ無線受信部、１０７  ＷＣＤＭＡ無線送信部、１０８  ＷＣＤＭＡベースバンド復調部、１０９  ＷＣＤＭＡベースバンド変調部、１１０  ＷＣＤＭＡ周波数偏差検出部、１１１，４１１  ＷＣＤＭＡＡＦＣ部、１１６  ＧＳＭ無線受信部、１１７  ＧＳＭ無線送信部、１１８  ＧＳＭベースバンド復調部、１１９  ＧＳＭベースバンド変調部、１２０  ＧＳＭ周波数偏差検出部、１２１，３２１  ＧＳＭＡＦＣ部、２２０ｂ  ＴＣＸＯ周波数変化量算出部、２２０ａ  加算器、３００，３２２，４１２  セレクタ。
【図１】
2007306358.tif 000003
【図２】
2007306358.tif 000004
【図３】
2007306358.tif 000005
【図４】
2007306358.tif 000006
【図５】
2007306358.tif 000007
【図６】
2007306358.tif 000008
【図７】
2007306358.tif 000009